(57)【要約】【解決手段】長手の保持部材１の端部１ａ付近に、台所用スポンジ類Ａを掛止するための複数の爪２ａ，２ｂを、保持部材１の表面から突出させて上下２段にわたって設ける。保持部材１の他方１ｂに吸盤３を備えたものとする。【効果】保持部材１の表面から突出させて上下２段にわたって設けられている複数の爪２ａ，２ｂに、確実に台所用スポンジ類Ａを掛止することができる。したがって、ホルダーＨからスポンジ類Ａが妄りに外れ落ちることがない。複数の爪２ａ，２ｂに掛止した台所用スポンジ類Ａが保持部材１に接するのが極めて少なくなるので、台所用スポンジ類Ａの保管時の衛生面を向上させるとともに、台所用スポンジ類Ａの乾燥を促進することができる。本体である保持部材１が１つの素材で作られており、また、簡単に吸盤３から取り外せるので、本体である保持部材１を極めて簡単に丸洗いできる。【選択図】図２
2014210172.tif 000002
【特許請求の範囲】
【請求項１】
長手の保持部材の端部付近に、台所用スポンジ類を掛止するための爪を保持部材の表面から突出させて設ける一方、保持部材の他方に吸盤を備えたことを特徴とする台所用スポンジ類のホルダー。
【請求項２】
保持部材の爪が設けられている側において、保持部材に孔が形成されていることを特徴とする請求項１記載の台所用スポンジ類のホルダー。
【請求項３】
爪が保持部材の幅方向に複数設けられていることを特徴とする請求項１又は２記載の台所用スポンジ類のホルダー。
【請求項４】
保持部材の幅方向に複数設けられている爪が、上下に複数段設けられていることを特徴とする請求項３記載の台所用スポンジ類のホルダー。
【請求項５】
爪の先端を内側に曲げてあることを特徴とする請求項１〜４のいずれか１項に記載の台所用スポンジ類のホルダー。
【請求項６】
保持部材が左右に複数列連設されていることを特徴とする請求項１〜４のいずれか１項に記載の台所用スポンジ類のホルダー。
【請求項７】
保持部材が屈曲可能な素材からなることを特徴とする請求項１〜４、６のいずれか１項に記載の台所用スポンジ類のホルダー。
【発明の詳細な説明】
【技術分野】
【０００１】
本発明は、食器洗い用のスポンジ類を台所シンクに保持するためのホルダーの改良に関するものである。
【背景技術】
【０００２】
この種ホルダーのうち最も一般的なものは、金属線や合成樹脂で形成された籠体を吸盤でシンクの表面に取り付ける様に構成されている。この一般的なホルダーでは、籠体をスポンジ類より大きくしなければならないから、シンク内で鍋等大きなものを洗うときに大型のホルダーが邪魔になることがある。
【０００３】
この欠点を解消するために、ワンタッチでスポンジ類を保持することができるのみならず、コンパクトに収納することができるようにしたものが提案されている（例えば、特許文献１参照）。
【先行技術文献】
【特許文献】
【０００４】
【特許文献１】特開２００６−３１２００３号公報
【発明の概要】
【発明が解決しようとする課題】
【０００５】
このホルダーは筒状に形成され、その外周面の一部に面ファスナーの凸面が貼り付けられており、この凸面にスポンジ類を押し当てて保持するようにしたものである。
【０００６】
しかしながら、面ファスナーの凸面にスポンジ類を押し当てた程度では、スポンジ類を確実に保持することができず、ともすればホルダーからスポンジ類が外れ落ちる可能性がある。特に、筒状のホルダーである場合には、その外周面の一部に貼り付けられている面ファスナーのみがスポンジ類に作用しているに過ぎず、面ファスナーのないところではスポンジ類が掛止されていない状況にあり、それだけホルダーの保持力が弱く、ホルダーからスポンジ類が外れ落ちるという事態が生じる。
【０００７】
特に、台所用スポンジ類のホルダーとして面ファスナーを用いた場合には、その表面に水や水あか、異物等が溜まりやすいので、台所用スポンジ類の保管時の衛生面でも問題がある。
【０００８】
本発明は、このような欠点のないホルダーを提供することを目的とするものである。
【課題を解決するための手段】
【０００９】
上記のホルダーを得るために、本発明では、長手の保持部材の端部付近に、台所用スポンジ類を掛止するための爪を保持部材の表面から突出させて設ける一方、保持部材の他方に吸盤を備えたものとしたものである。
このホルダーによれば、保持部材の表面から突出させてある爪に確実に台所用スポンジ類を掛止することができ、ホルダーからスポンジ類が妄りに外れ落ちることがない。また、爪に掛止した台所用スポンジ類が保持部材に接するのが極めて少なくなるので、台所用スポンジ類の保管時の衛生面を向上させるとともに、台所用スポンジ類の乾燥を促進することができる。さらに、このホルダーは本体である保持部材が１つの素材で作られており、また、簡単に吸盤から取り外せるので、本体である保持部材を極めて簡単に丸洗いできる。
【００１０】
保持部材の爪が設けられている側において、保持部材に孔が形成されていることが望ましい。このホルダーによれば、爪に掛止した台所用スポンジ類が保持部材に接するのがさらに少なくなるので、台所用スポンジ類の保管時の衛生面をさらに向上させるとともに、台所用スポンジ類の乾燥をさらに促進することができる。
【００１１】
爪が保持部材の幅方向に複数設けられていることが望ましい。このホルダーによれば、保持部材の幅方向に複数設けられている爪により、より確実に、かつ、より安定して台所用スポンジ類を掛止することができ、ホルダーからスポンジ類が外れ落ちるのを一層防止することができる。
【００１２】
保持部材の幅方向に複数設けられている爪が、上下に複数段設けられていることが望ましい。このホルダーによれば、保持部材の上下に複数段設けられている爪により、台所用スポンジ類を上下の複数箇所でより一層確実に、かつ、より一層安定して掛止することができ、ホルダーからスポンジ類が外れ落ちるのをさらに防止することができる。
【００１３】
爪の先端を内側に曲げてあることが望ましい。このホルダーによれば、尖っている爪で手指を怪我することがない。
【００１４】
保持部材が左右に複数列連設されていることが望ましい。このホルダーによれば、複数の台所用スポンジ類を同時に保持することができるので、便利である。
【００１５】
保持部材が屈曲可能な素材からなることが望ましい。このホルダーによれば、使い方に応じて保持部材を様々な形に屈曲させることができるので、使い勝手が非常に良い。
【発明の効果】
【００１６】
請求項１記載のホルダーによれば、保持部材の表面から突出させてある爪に確実に台所用スポンジ類を掛止することができ、ホルダーからスポンジ類が妄りに外れ落ちることがない。また、爪に掛止した台所用スポンジ類が保持部材に接するのが極めて少なくなるので、台所用スポンジ類の保管時の衛生面を向上させるとともに、台所用スポンジ類の乾燥を促進することができる。さらに、このホルダーは本体である保持部材が１つの素材で作られており、また、簡単に吸盤から取り外せるので、本体である保持部材を極めて簡単に丸洗いできる。
【００１７】
請求項２記載の発明によれば、爪に掛止した台所用スポンジ類が保持部材に接するのがさらに少なくなり、孔の通気性と相俟って、台所用スポンジ類の保管時の衛生面をさらに向上させるとともに、台所用スポンジ類の乾燥をさらに促進することができる。
【００１８】
請求項３記載のホルダーによれば、保持部材の幅方向に複数設けられている爪により、より確実に、かつ、より安定して台所用スポンジ類を掛止することができ、ホルダーからスポンジ類が外れ落ちるのを一層防止することができる。
【００１９】
請求項４記載のホルダーによれば、保持部材の上下に複数段設けられている爪により、台所用スポンジ類を上下の複数箇所でより一層確実に、かつ、より一層安定して掛止することができ、ホルダーからスポンジ類が外れ落ちるのをさらに防止することができる。
【００２０】
請求項５記載のホルダーによれば、尖っている爪で手指を怪我することがない。
【００２１】
請求項６記載のホルダーによれば、複数の台所用スポンジ類を同時に保持することができるので、便利である。
【００２２】
請求項７記載のホルダーによれば、使い方に応じて保持部材を様々な形に屈曲させることができるので、使い勝手が非常に良い。
【図面の簡単な説明】
【００２３】
【図１】本発明による台所用スポンジ類のホルダーの一例を示す斜視図で、台所用スポンジ類１個用の場合を示す。
【図２】図１に示す台所用スポンジ類のホルダーの使用状態を示す斜視図で、(a)はシンクの外側の水平面に吸着させた場合を、(b)は内側の垂直面に吸着させた場合を示す。
【図３】本発明による台所用スポンジ類のホルダーの別の例を示す斜視図で、台所用スポンジ類２個用の場合を示す。
【図４】図３に示す台所用スポンジ類のホルダーの使用状態を示す斜視図で、(a)はシンクの外側の水平面に吸着させた場合を、(b)は内側の垂直面に吸着させた場合を示す。
【図５】ホルダーに形成されている複数の爪の形状を示す図で、(a)はその一つを拡大して示す正面図、(b)はその側面図である。
【発明を実施するための形態】
【００２４】
本発明による台所用スポンジ類のホルダーの一例を、図面に基いて詳細に説明する。本発明による台所用スポンジ類のホルダーＨの主体は、図１に示すように、長手の１つの保持部材１から、あるいは、図２に示すように、図１に示す保持部材１が左右に複数列、ここでは左右に２列連設されている幅の広いものからなり、この保持部材１あるいは左右に２列連設されている保持部材１の端部１ａ付近に、台所用スポンジ類Ａを掛止するための複数の爪２，２が保持部材１の表面から突出させて設けられている。一方、保持部材１、あるいは、左右に２列連設されている保持部材１の他方１ｂ側には、吸盤３が備えられている。吸盤３はワッシャ３ａで保持部材１の他方１ｂ側に止められている。なお、左右に２列連設されている保持部材１の他方１ｂ側の吸盤３は２つである。
【００２５】
保持部材１の他方１ｂ側に備えられている吸盤３を利用し、このホルダーＨを図２(a)あるいは図４(a)に示すように台所のシンクＳの外側の水平面ｓ１に、あるいは、図２(b)あるいは図４(b)に示すようにシンクＳの内側の垂直面ｓ２に吸着させ、保持部材１の端部１ａ付近において保持部材１の表面から突出させて設けられている爪２，２に、台所用スポンジ類Ａを押し付けて掛止することによって、台所用スポンジ類ＡをシンクＳ内で保持することができる。左右に２列連設されている保持部材１からなるホルダーＨの場合には、複数の台所用スポンジ類Ａ，Ａを、ここでは２つの台所用スポンジ類Ａ，ＡをシンクＳ内で保持することができる。
【００２６】
これらの場合には、前記爪２，２に掛止した１つあるいは２つの台所用スポンジ類Ａが保持部材１あるいは左右に２列連設されている保持部材１に接するのが極めて少なくなるので、台所用スポンジ類Ａの保管時の衛生面を向上させるとともに、台所用スポンジ類Ａの乾燥を促進することができる。また、スポンジ類Ａが水を含んでいても、水を含んでいるスポンジ類ＡはシンクＳ内で保持されているので、何の支障もないし、時間が経過するのに従って上述したようにスポンジ類Ａの乾燥を促進することができる。したがって、カビなどの繁殖を防止することもできる。さらに、このホルダーＨは本体である保持部材１あるいは左右に２列連設されている保持部材１が１つの素材で作られており、また、ワッシャ３ａを抜くことで簡単に吸盤３から取り外せるので、本体である保持部材１あるいは左右に２列連設されている保持部材１を極めて簡単に丸洗いできる。
【００２７】
ここには、保持部材１の爪２，２が設けられている側において、保持部材１に複数の孔４，４が形成されている場合を例示する。このようにした場合には、保持部材１に形成されている複数の孔４，４の存在により、爪２，２に掛止した台所用スポンジ類Ａが保持部材１に接するのがさらに少なくなり、複数の孔４，４の通気性と相俟って、台所用スポンジ類Ａの保管時の衛生面をさらに向上させるとともに、台所用スポンジ類Ａの乾燥をさらに促進することができる。なお、ここでは、保持部材１の端部１ａにおいて、形状の異なる２種類の孔のうち、大きな孔を保持部材１の幅方向の真ん中に１つ、もう１種類の孔については、前記の孔より下側に複数並べて形成した場合を例示する。
【００２８】
保持部材１の端部１ａ付近では、図１あるいは図３に示すように、爪２，２が保持部材１の幅方向に複数設けられており、さらに、保持部材１の幅方向に複数設けられている爪２，２が、上下に複数段、ここでは、両図において２ａ，２ｂで示すように、上下に２段設けられている。なお、上段の爪２ａは保持部材１の幅方向に真横に並べて設けられ、下段の爪２ｂは保持部材１の外形に沿って略円弧状に配置されるように設けられている。
【００２９】
爪２，２が保持部材１の幅方向に複数設けられている場合には、保持部材１の幅方向に複数設けられている爪２，２により、より確実に台所用スポンジ類Ａを掛止することができ、ホルダーＨからスポンジ類Ａが外れ落ちるのを一層防止することができる。
【００３０】
また、保持部材１の幅方向に複数設けられている爪２，２が、図１あるいは図３において２ａ，２ｂで示すように、上下に２段設けられている場合には、保持部材１の上下に２段設けられている爪２ａ，２ｂにより、台所用スポンジ類Ａを上下２箇所でより一層確実に、かつ、より一層安定して掛止することができ、ホルダーＨからスポンジ類Ａが外れ落ちるのをさらに防止することができる。
【００３１】
ここには、図５(b)に示すように、爪２の先端２ｃを内側に曲げてある場合が例示されている。このようにした場合には、尖っている爪２で手指を怪我することがない。
【００３２】
保持部材１あるいは左右に２列連設されている保持部材１はステンレスその他の屈曲可能で、かつ錆びない素材からなるものとすることが望ましい。この場合には、使い方に応じて保持部材１あるいは左右に２列連設されている保持部材１を例えば図２(a)、(b)あるいは図４(a)、(b)に示すように様々な形に屈曲させることができるので、使い勝手が非常に良い。また、保持部材１あるいは左右に２列連設されている保持部材１が錆びにくいという利点もある。ただし、保持部材１あるいは左右に２列連設されている保持部材１の材質はこれらのみに限定されるものではなく、例えば、プラスチックス製とすることもできる。
【００３３】
なお、保持部材１あるいは左右に２列連設されている保持部材１に塗装を施して装飾を加えたものとすることもできる。このようにした場合には、塗装をしてないものに比べてホルダーＨの装飾価値が向上する。
【符号の説明】
【００３４】
１…保持部材、１ａ…端部、１ｂ…他方、２…爪、２ａ…上段の爪、２ｂ…下段の爪、２ｃ…爪の先端、３…吸盤、３ａ…ワッシャ、４…孔、Ｈ…ホルダー、Ａ…スポンジ類、Ｓ…シンク、ｓ１…シンクの外側の水平面、ｓ２…シンクの内側の垂直面。
【図１】
2014210172.tif 000003
【図２】
2014210172.tif 000004
【図３】
2014210172.tif 000005
【図４】
2014210172.tif 000006
【図５】
2014210172.tif 000007